(57)【要約】【課題】  かつら装着者の頭部に載せたかつらの上から軽く抑えつけるだけで、かつらを簡単で確実に装着することができるようにする。フィット性の向上を図る。着脱時や長期間の使用にも痛みを感じないようにする。【解決手段】  基体シート２１の一側面にかつら装着者の自毛と絡んで引っ掛かる多数のモノフィラメント２２を突設し、基体シート２１の他面側にかつらベースの裏面へ貼着するための粘着層２３を塗布する。モノフィラメント２２を、基体シート２１から立ち上がる軸部２２ａと、該軸部２２ａの先端に膨出する頭部２２ｂとで構成する。かつらをかつら装着者の頭部２２ｂへ装着する際にモノフィラメント２２を外からの抑え力により撓ませて、互いに絡み合わせて引っ掛け、且つ、モノフィラメント２２の軸部２２ａや頭部２２ｂにかつら装着者の自毛を絡ませ、この絡み合い状態を保持してかつらを頭部に固定する。【選択図】図１
0003134280.tif 000002
【実用新案登録請求の範囲】
【請求項１】
基体シートの一側面に、かつら装着者の自毛と絡み合う多数のモノフィラメントを突設し、
前記基体シートの他面側に、かつらベースの裏面に貼着するための粘着層を塗布するとともに、
前記モノフィラメントは、前記基体シートから立ち上がる軸部と、該軸部の先端に膨出する頭部とを備え、
前記かつらをかつら装着者の頭部へ装着する際に、前記モノフィラメントと前記かつら装着者の自毛とを互いに絡み合わせて引っ掛け、且つこの引っ掛かり荷重にて前記モノフィラメントと自毛との絡み合い状態を保持するようになした
ことを特徴とするかつら用装着具。
【請求項２】
前記モノフィラメントの表面に、該モノフィラメントの材質よりも摩擦係数の大きな皮膜が塗布されている
ことを特徴とする請求項１に記載のかつら用装着具。
【請求項３】
前記かつら用装着具をかつら装着者の頭部から外すときの引き剥がし荷重が３０ｇｆ〜１００ｇｆである
ことを特徴とする請求項１または２に記載のかつら用装着具。
【請求項４】
前記モノフィラメントの先端近傍の撓り荷重が１９５〜６２０ｇｆで、且つモノフィラメントの根元付近の撓り荷重が３８０〜８３０ｇｆである
ことを特徴とする請求項１〜３のいずれかに記載のかつら用装着具。
【請求項５】
前記モノフィラメントの配置密度が５０〜１２０本／ｃｍ２である
ことを特徴とする請求項１〜４のいずれかに記載のかつら用装着具。
【請求項６】
前記モノフィラメントの軸部の長さが３〜６ｍｍである
ことを特徴とする請求項１〜５のいずれかに記載のかつら用装着具。
【請求項７】
前記モノフィラメントの軸部の径が０．１〜０．５ｍｍである
ことを特徴とする請求項１〜６のいずれかに記載のかつら用装着具。
【請求項８】
前記モノフィラメントの頭部の径が０．２〜１ｍｍである
ことを特徴とする請求項１〜７のいずれかに記載のかつら用装着具。 
【考案の詳細な説明】
【技術分野】
【０００１】
本考案は、人工毛や人毛等の擬毛を植設したかつらベースの裏面に貼着して、かつらを装着者の頭部へ簡便且つ確実に取り付けるためのかつら用装着具に関する。
【背景技術】
【０００２】
かつらや帽子，ヘアバンド等の頭部装飾品を装着者の頭部へ取り付けるための装着具として、かつらベースの裏面に金属製や合成樹脂製の反転挟持具を固着し、該反転挟持具を反らせて、かつら装着者の自毛を反転挟持具の櫛歯で挟持するものや（特許文献１）、へアバンドの裏面に滑り止めテープとして、基材シートに多数のモノフィラメントを突設した面ファスナの雄側シートのような構成のものや（特許文献２）、かつらや帽子等の頭部装飾品と、頭部を弾性的に囲繞する帯状部材とからなり、該帯状部材と頭部装飾品とを面ファスナやホック等の係着手段を用いて着脱できるようにしたもの（特許文献３）が知られている。
【０００３】
しかしながら、反転挟持具を用いた特許文献１では、反転挟持具を反転させるためにある程度の指の力が必要であり、指の力が弱い高齢者や指の自由の利かない人は、自分で自由にかつらを着脱することができなかった。また、反転挟持具を自毛に挟持するために、挟持された自毛が引っ張られ痛みを感じるという不具合がある。
へアバンドの固定に面ファスナの雄側シートを用いる引例文献２では、雄側シートとして、好ましい突起状物の長さや太さ、配置密度などが記載されているが、この発明はモノフィラメントが髪に櫛歯のように入り込んでヘアバンド等の軽量な頭部装飾品を髪から滑り落ちるのを防ぐために用いられるのに過ぎない。したがって、かつらの装着具として使用するには固定力が弱く、技術的に不充分である。
【０００４】
頭部装飾品と帯状部材とを組み合わせる特許文献３では、かつら装着者の頭部とかつらベースの裏面との間に帯状部材が介在するため、かつらが装着者の頭部にフィットせずに浮き上がってしまい、かつらを装着していることが周囲に知られてしまう虞がある。また、係着手段として面ファスナを使用した場合には、かつらベースとかつら装着者の頭部との間に雄側シートと雌側シートの双方の厚みが介在して厚みを増すため、頭部にかつらがフィットしにくくなるという問題がある。
さらに帯状部材は、ヘアバンドのようにその弾性力をもってかつら装着者の頭部に取り付けられるため、弾性力が弱いとかつらが外れやすく、逆に高い弾性力を持たせるとかつら装着者の頭部が締めつけられるために、長期間装着することを困難にする。
【０００５】
【特許文献１】実用新案登録第１４１８６５７号公報
【特許文献２】実用新案登録第２５９１８８１号公報
【特許文献３】特開平１１−２８６８２１公報
【考案の開示】
【考案が解決しようとする課題】
【０００６】
本考案は、かかる実情を背景にしてなされたもので、その目的とするところは、かつら装着者の頭部に載せたかつらの上から軽く抑えつけるだけで、かつらを簡単で確実に装着することができ、さらにフィット性に優れるばかりか着脱時や長期間の使用にも痛みを感じることのないかつら用装着具を安価に提供することにある。
【課題を解決するための手段】
【０００７】
上記の課題を解決するため、本考案のかつら用装着具は、基体シートの一側面に、かつら装着者の自毛と絡み合う多数のモノフィラメントを突設し、前記基体シートの他面側に、かつらベースの裏面に貼着するための粘着層を塗布するとともに、前記モノフィラメントは、前記基体シートから立ち上がる軸部と、該軸部の先端に膨出する頭部とを備え、前記かつらをかつら装着者の頭部へ装着する際に、前記モノフィラメントと前記かつら装着者の自毛とを互いに絡み合わせて引っ掛け、且つこの引っ掛かり荷重にて前記モノフィラメントと自毛との絡み合い状態を保持するようになしたことを特徴としている。
【０００８】
さらに本考案は、モノフィラメントの表面に、モノフィラメント自身の材質よりも摩擦係数の大きな皮膜を塗布してもよい。
また、かつら用装着具をかつら装着者の頭部から外すときの引き剥がし荷重を３０〜１００ｇｆとしたり、あるいはモノフィラメントの先端近傍の撓り荷重を１９５〜６２０ｇｆとしつつ、モノフィラメントの根元付近の撓り荷重を３８０〜８３０ｇｆとしたり、あるいはモノフィラメントの配置密度を５０〜１２０本／ｃｍ２とすることがよい。
さらに本考案は、モノフィラメントの軸部の長さを３〜６ｍｍとしたり、あるいはモノフィラメントの軸部の径を０．１〜０．５ｍｍとしたり、あるいはモノフィラメントの頭部の径を０．２〜１ｍｍとすることがよい。
【０００９】
本考案のかつら用装着具は、基体シートの一側面に塗布した粘着層を用いてかつらベースの裏面に貼着され、モノフィラメントが頭部側へ突出する。そして、かつらを装着者の頭部に載せてその上から軽く抑え力を加えると、かつら装着者の自毛とモノフィラメントとが互いにモノフィラメントの差し込み方向に合わされていき、この差し込みが深まると自毛は横方向に倒れていき、モノフィラメントは基体シートとほぼ平行の方向へ撓んで装着者の自毛と絡み合う。
この絡み合いでは、モノフィラメントの軸部やその先端に膨出する頭部が、他のモノフィラメントの軸部や頭部との間に装着者の自毛を挟みながら、互いに絡み合いつつ引っ掛かり、この引っ掛かり状態を維持しようとする荷重、すなわち引っ掛かり荷重によりモノフィラメントと自毛との絡み合い状態が保たれ、かつらがかつら装着者の頭部に固定される。
【００１０】
また、モノフィラメントを基体シートに不規則に設けたり、あるいはモノフィラメントの表面に、モノフィラメントの材質よりも摩擦係数の大きな皮膜を塗布することにより、モノフィラメント同士がより確実に絡み合い、絡み合いが弛んだり抜けたりすることが極力なくなる。
例えば、基体シートがナイロンで、モノフィラメントがポリプロピレンの場合に、これよりも摩擦係数の大きなエラストマー溶液をモノフィラメントに塗って被膜を作ることにより摩擦力を上げることにより固定力を向上することができ、例えばスチレン系の熱可塑性エラストマーのペレット、具体的には日本ゼオン社製の商品名クインタックＱＴＣＳＬ−１２５をトルエンで溶かした５ｗｔ％溶液をモノフィラメントに塗布することができる。
【００１１】
かつら用装着具のモノフィラメントは、かつら装着者の自毛と絡み合うためにある程度の柔軟性を備えており、この柔軟性によりモノフィラメントの軸部が適度に撓って、その先端に膨出する頭部が他のモノフィラメントの軸部や頭部と絡み合いながら引っ掛かり、これらの間に自毛を絡めながらこの絡まり状態を保持する。したがって、かつら用装着具のモノフィラメントには適度な柔軟性が必要で、柔軟性が低い場合には、モノフィラメントが撓まずに頭皮を傷つけてしまう虞があり、またモノフィラメントの柔軟性が高過ぎる場合には、モノフィラメント同士やモノフィラメントと自毛とが絡みにくくなって頭部への固定力が弱まる原因となるため、モノフィラメントには適正な柔軟性が必要となる。
【００１２】
かつら用装着具のモノフィラメント同士の絡み合いやかつら装着者の自毛との引っ掛かり荷重は、かつら装着者の頭部に対するかつらの固定力やかつらを装着者の頭部から取り外す際のかつら用装着具の引き剥がし荷重に相当する。
図７〜図９は、本考案にかかるかつら用装着具のモノフィラメントを実験した例を示しており、このうち、図７（ａ），（ｂ）は、モノフィラメントの柔軟性を実験した例を、また図８及び図９は、マネキンを用いてモノフィラメントのかつら用装着具をかつら装着者の頭部から外すときの引き剥がし荷重を実験した例をそれぞれ示している。
【００１３】
これらの実験は、以下の条件に基づいて行った。
試験機：シンポ工業株式会社製デジタルフォースゲージ（ＤＦＧ−１Ｋ）
テストピース１：合成樹脂製の基体シート５にモノフィラメント６を不規則に配置（本考案の実施品１）
テストピース２：合成樹脂製の基体シート５に、テストピース１と同じ形状、軸部の高さのモノフィラメント６を同じ配置密度で整列して配置（本考案の実施品２）
テストピース３：合成樹脂製の基体シート５に、テストピース１，２と形状、軸部の高さは同一でやや柔軟性の低いモノフィラメント７を同じ配置密度で整列して配置（比較例１）
テストピース４：合成樹脂製の基体シート５に、テストピース１，２と形状、軸部の高さは同一でやや柔軟性の高いモノフィラメント８を同じ配置密度で整列して配置（比較例２）
上記テストピース１〜４のサイズ：１．５ｃｍ×３．５ｃｍの矩形で厚さ０．５ｍｍの基体シート５を使用
均圧板：テストピース１〜４よりも大きなサイズで重さ１．３ｇの合成樹脂片
【００１４】
実験条件：図７（ａ），（ｂ）に示すように、モノフィラメント６，７，８の柔軟性実験例は、モノフィラメント６〜８を上向きにしたテストピース１〜４の上に均圧板９を載せ、その上から試験機１０で加圧してモノフィラメント６〜８が撓むときの荷重を計測したもので、図７（ａ）ではモノフィラメント６〜８の軸部６ａ，７ａ，８ａ先端の頭部６ｂ，７ｂ，８ｂ根元付近を撓ませ、また図７（ｂ）では、モノフィラメント６〜８の軸部６ａ〜８ａ基端根元付近を撓ませた。
【００１５】
実験結果：本考案の実施品１であるテストピース１では、モノフィラメント６の軸部６ａ先端の頭部６ｂ根元付近が撓む荷重は３１４ｇｆであり、モノフィラメント６の軸部６ａの基端根元付近までが撓む荷重は５９６ｇｆであった。
本考案の実施品２であるテストピース２では、モノフィラメント６の軸部６ａ先端の頭部６ｂの根元付近が撓む荷重は５０４ｇｆであり、モノフィラメント６の軸部６ａの基端根元付近までが撓む荷重は７６６ｇｆであった。
【００１６】
モノフィラメント７がテストピース１，２のそれよりも柔軟性が低く硬い比較例１のテストピース３では、モノフィラメント７の軸部７ａ先端の頭部７ｂ根元付近が撓む荷重は６２０ｇｆであり、モノフィラメント７の軸部７ａの基端根元付近までが撓む荷重は８３０ｇｆであった。テストピース３の結果では、モノフィラメント７の剛性が高すぎることから、モノフィラメント７がかつら装着者の頭皮に接触した際にモノフィラメント７が充分に撓まずに頭皮を傷める虞があり、またモノフィラメント７が自毛と充分に絡み合うことができず、所定の固定力を得ることできないなどの問題が生じた。
【００１７】
モノフィラメント８がテストピース１，２のそれよりも柔軟性が高く軟らかい比較例２のテストピース４では、モノフィラメント８の軸部８ａ先端の頭部８ｂ根元付近が撓む荷重は１９５であり、またモノフィラメント８の軸部８ａの基端根元付近までが撓む荷重は３８０であった。テストピース４の結果では、モノフィラメント８が軟らかすぎてしまい、装着者の自毛の隙間にモノフィラメント８が入り込むことができず、所定の固定力を得るに至らなかった。
【００１８】
このような測定の結果、上記したテストピース１〜４と同様の数値を得た。かつら用装着具のモノフィラメントとして、先端の好ましい撓み荷重は１９５〜６２０ｇｆの範囲が適当であり、また根元付近の好ましい撓み荷重は３８０〜８３０ｇｆの範囲が適当であることを見出した。
【００１９】
図８，図９に示すかつら用装着具の引き剥がし実験は、軸部の長さや軸部の径，頭部の径及び形状，柔軟性，配置密度の異なるモノフィラメント１１を持った数種類のテストピース１２を、マネキン１３の毛髪１４に装着させて該毛髪１４にモノフィラメント１１を絡ませ、これらテストピース１２に試験機１０を垂直方向に連結し、試験機１０を速度２〜３ｃｍ／秒で牽引作動して、テストピース１２が毛髪から完全に離脱するまでの間の最大荷重を計測した。この計測をそれぞれのテストピース１２で５回ずつ行い、その平均値を求めた。
【００２０】
実験結果：自毛（毛髪１４）からかつらを外す際にかつら用装着具（テストピース１２）にかかる引き剥がし荷重が３０ｇｆ以下では、自毛（毛髪１４）とモノフィラメント１１との絡み合いが不充分で、かつらが頭部からズレやすいものとなった。逆に、かつら用装着具（テストピース１２）にかかる引き剥がし荷重が１００ｇｆ以上では、かつらの固定力が強すぎて、指の力の弱い人や自由の利かない人ではかつらを取り外すことが困難であった。また、自毛（毛髪１４）にも必要以上の負荷を与えることがわかり、引き剥がし荷重１００ｇｆ以上は実用的でない。したがって、かつら装着者の頭部からかつらを取り外す際に、かつら用装着具に作用する引き剥がし荷重は３０〜１００ｇｆの範囲とすることが適当であることがわかった。
【００２１】
かつら用装着具のモノフィラメントの配置密度は、５０〜１２０本／ｃｍ２の範囲が好ましい。例えば、モノフィラメントの配置密度が１２０本／ｃｍ２以上の場合には、モノフィラメントが密集してモノフィラメント１本１本の間隔が狭まることによって、かつら装着者の自毛が入り込めなくなり、固定力が弱くなってしまうので好ましくない。また、逆にモノフィラメントの配置密度が５０本／ｃｍ２以下の場合は、モノフィラメントの本数が少なすぎて、かつら装着者の自毛がモノフィラメントをすり抜けてしまい、固定力が弱まるので好ましくない。したがって、モノフィラメントの配置密度は５０〜１２０本／ｃｍ２の範囲が適当である。
【００２２】
また、モノフィラメントの軸部の長さは３〜６ｍｍの範囲が好ましい。例えば、モノフィラメントの高さが６ｍｍ以上の場合には、モノフィラメントが自毛や頭部に密着しにくくなり、これらとの間に大きな隙間が生じることでかつらが頭部から浮く状態になり、かつらの装着が露見する虞がある。また、逆にモノフィラメントの軸部の長さが３ｍｍ以下の場合には、自毛との絡み合うことのできる長さが不足して充分な絡み合いができず、所定の固定力を得ることが困難となる。
【００２３】
モノフィラメントの軸部の太さは０．１〜０．５ｍｍの範囲が好ましい。例えば、モノフィラメントの軸部の太さが０．５ｍｍ以上の場合には、モノフィラメントの剛性が高くなって撓みにくくなり、かつら装着者の自毛と充分にかみ合うことが困難となる。逆に、モノフィラメントの軸部の太さが０．ｌｍｍ未満の場合には、日本人の一般的な毛髪の太さ０．０８ｍｍとほぼ同等となるので、必要以上に自毛と絡み合ってしまい、かつらの取り外し時に引き剥がし荷重が高くなり自毛が引っ張られて痛みを伴うことがあり好ましくない。
【考案の効果】
【００２４】
本考案のかつら用装着具は、基体シートに多数のモノフィラメントを突設しただけの安価で簡単な構造であり、しかもかつら装着者の頭部に載せたかつらを上から軽く抑えつけるだけの操作で、かつらをかつら装着者の頭部へ確実に装着することができる。したがって、指の力が弱い高齢者や指の自由の利かない人の使用にも適している。また装着者の頭部が浮き上がることなく装着できるのでフィット性に優れ、しかも着脱時や長期間の使用にも痛みを感じることがない。
【考案を実施するための最良の形態】
【００２５】
以下、本考案にかかるかつら用装着具の好ましい一実施例を図１〜図６に基づいて説明する。
図中、図１はかつら用装着具の斜視図、図２は同じくかつら用装着具の正面図、図３はかつら用装着具を貼着したかつらの裏面図、図４はかつら用装着具を用いてかつらを取り付ける状態の説明図、図５はかつらの取り付け状態図、図６は図５の拡大図である。
【００２６】
図１，図２に示すように、かつら用装着具２０は、例えば１．５×３．５ｃｍで厚さ０．５ｍｍの矩形にカットされたナイロン製の基体シート２１の一側面に、多数のモノフィラメント２２が１平方センチメートルあたり５０〜１２０本の密度で不規則に植設され、同じく基体シート２１の他面側に粘着層２３が塗布されており、該粘着層２３の外面には剥離紙２４が貼着されている。
【００２７】
図２のＡ部拡大に詳細を示すように、モノフィラメント２２は、基体シート２１と同質または異質の合成樹脂によって、該基体シート２１の一側面から直径０．１〜０．５ｍｍで長さ３〜６ｍｍで立ち上がる軸部２２ａと、該軸部２２ａ先端に直径０．２〜１ｍｍで傘状に膨出する頭部２２ｂとで榎茸のような形状を呈しており、その全体が例えばポリプロピレンによって形成されるとともに、その表面にはポリプロピレンよりも摩擦係数の大きなエラストマー溶液が塗布されている。
モノフィラメント２２の軸部２２ａには、先端近傍で１９５〜６２０ｇｆの撓り荷重が設定され、また根元付近で３８０〜８３０ｇｆの撓り荷重が設定されており、モノフィラメント２２は、軸部２２ａに設定されたこの撓り荷重と、該２２ａよりも大きな径をもつ頭部２２ｂとによって、かつら装着者３０の自毛３１と絡み合って引っ掛かるようになっている。
【００２８】
上記のように構成されるかつら用装着具２０は、図３に示すように、擬毛２５とともにかつら２６を構成するかつらベース２７の裏面外周に、剥離紙２４を取り除いた粘着層２３を用いて複数個がほぼ等間隔で貼着される。
図４に示すように、かつら用装着具２０を取り付けたかつら２６は、モノフィラメント２２を装着者３０の頭部側へ向けながら、頭部の所望箇所に被せて、しかるのちかつら２６を外側から軽く抑えつける。
【００２９】
かつらベース２７の裏面外周から頭部側へ突出するかつら用装着具２０のモノフィラメント２２は、上述のようにかつら２６を装着者３０の頭部に被せることによって装着者３０の自毛３１に入り込み、さらにかつら２６を外側から軽く抑えつけることによって、自毛３１とモノフィラメント２２とが互いに差し込みを深めていく。
そして、この差し込みがさらに深まって、自毛３１がかつらベース２７やかつら用装着具２０の基体シート２１と当接すると、モノフィラメント２２よりも先に横方向へ倒れていき、またモノフィラメント２２のそれぞれは、装着者３０の頭皮や自毛３１あるいは他のモノフィラメント２２と当接したり絡み合いながら基体シート２１方向へ戻るようにＵ字状に撓む。
【００３０】
基体シート２１方向へ撓み変形したモノフィラメント２２は、軸部２２ａとその先端に膨出する頭部２２ｂが、他のモノフィラメント２２の軸部２２ａや頭部２２ｂとの間に装着者３０の自毛３１を挟みながらランダムに絡み合う。特に軸部２２ａの外径より大きな頭部２２ｂは、他のモノフィラメント２２との間に自毛３１を挟みながらその軸部２２ａや頭部２２ｂと絡んで引っ掛かり、この引っ掛かり状態を維持しようとする荷重により絡み合い状態が保たれ、かつら２６がかつら装着者３０の頭部に固定される。
【００３１】
また、このようにしてかつら装着者３０の頭部に固定されたかつら２６を外すときに、かつら用装着具２０に作用している引き剥がし荷重は３０ｇｆ〜１００ｇｆであり、引き剥がし荷重をこの範囲に設定しておくことにより、指の力が弱い高齢者や指の自由の利かない人の使用にも簡便な取り外しが行える。
【図面の簡単な説明】
【００３２】
【図１】本考案の一実施例を示すかつら用装着具の斜視図である。
【図２】本考案の一実施例を示すかつら用装着具の正面図である。
【図３】本考案の一実施例を示すかつら用装着具を貼着したかつらの裏面図である。
【図４】本考案の一実施例を示すかつら用装着具を用いてかつらを取り付ける状態の説明図である。
【図５】本考案の一実施例を示すかつらの取り付け状態図である。
【図６】本考案の一実施例を示す図５の拡大図である。
【図７】本考案の柔軟性の実験例を説明するための図である。
【図８】本考案の引き剥がしの実験例を説明するための図である。
【図９】本考案の引き剥がしの実験例を説明するための図である。
【符号の説明】
【００３３】
２０…かつら用装着具
２１…基体シート
２２…モノフィラメント
２２ａ…モノフィラメント２２の軸部
２２ｂ…モノフィラメント２２の頭部
２３…粘着層
２４…剥離紙
２５…擬毛
２６…かつら
２７…かつらベース
３０…装着者
３１…装着者３０の自毛
【図１】
0003134280.tif 000003
【図２】
0003134280.tif 000004
【図３】
0003134280.tif 000005
【図４】
0003134280.tif 000006
【図５】
0003134280.tif 000007
【図６】
0003134280.tif 000008
【図７】
0003134280.tif 000009
【図８】
0003134280.tif 000010
【図９】
0003134280.tif 000011